(57)【特許請求の範囲】
【請求項１】
使用者が携帯して情報を得るための携帯情報装置において、
情報を表示する表示部を有する本体と、
本体の表示部を覆う蓋と、
表示部を使用する際に蓋を回転して移動するための連結手段と、
を備え、
この連結手段は、
本体側の端面に配置された第１支点を中心として回転可能な断面円形状の回転部を有し、この回転部の周囲面には突出部が設けられ、突出部に位置する第２支点に対して、蓋の端部が回転可能に連結されていると共に、
前記蓋は、本体の表示部を覆う閉じた状態から、連結手段を介して回転して移動して、表示部とは反対に位置する本体の裏面に位置されることを特徴とする携帯情報装置。
【請求項２】
連結手段の回転部の中心に第１支点を構成する軸が通っており、この回転部は円筒状である請求項１に記載の携帯情報装置。
【請求項３】
連結手段の回転部に対応する本体の端面は、断面でみて円弧状の凹部となっている請求項１に記載の携帯情報装置。
【発明の詳細な説明】
【０００１】
【発明の属する技術分野】
本発明は、使用者が携帯して情報を得るための携帯情報装置に関するものである。
【０００２】
【従来の技術】
近年、電子機器の小型化の影響により、電子手帳、携帯情報端末等といった携帯情報装置の小型化が進んでいる。携帯情報装置として、例えば携帯情報端末は、使用者がペンにより表示部において情報をペン入力ができるような機能を有していたり、簡易型携帯電話の機能を搭載している。またこの種の携帯情報装置は、所謂電子メールやパーソナルコンピュータによる通信、あるいは個人情報の管理等を行うこともできる。
【０００３】
図６と図７は従来の携帯情報装置、例えば電子手帳の例を示している。図６の電子手帳の本体１の表示部２は、蓋３により閉じることができる。この蓋３は、本体１の端面４に取り付けられた軸５を中心としてヒンジ部６により表示部２を開閉できるようになっている。つまり蓋３の端部は、ヒンジ部６の軸７に回転可能に連結されている。このヒンジ部６は、図６と図７に示すように断面でみて通常の長細い板である。
図６は蓋３が表示部２を閉じている状態を示しているが、図６において蓋３を使用者がＲ方向に回転することで、ヒンジ部６及び軸５，７を介して、図７に示すように蓋３は本体１の裏側８に収納することができる。
【０００４】
【発明が解決しようとする課題】
ところが、図６と図７に示すような電子手帳の蓋３の開閉構造では次のような問題がある。
すなわち、ヒンジ部６が断面でみて長細い部材であるので、蓋３を図６の閉じた状態から図７の開いた状態にＲ方向に沿って開こうとすると、ヒンジ部６が本体１の端面４に対して凹凸状にその動作が変化していくので、使用者が蓋３を図６の閉じた状態から図７の開いた状態にＲ方向に移動したり、逆に図７の開いた状態から図６の閉じた状態に戻そうとする時にぎくしゃくして操作上の違和感があるとともに、ヒンジ部６は本体１の端面４に対して凹凸状に移動をすることから、本体１とヒンジ部６の開閉操作上の一体感が確保しにくい。
そこで本発明は上記課題を解消し、本体の表示部を覆う蓋の開閉操作の際に蓋は本体に対して凹凸の少ない一体感のある開閉操作を行うことができる携帯情報装置を提供することを目的としている。
【０００５】
【課題を解決するための手段】
上記目的は、本発明にあっては、使用者が携帯して情報を得るための携帯情報装置において、情報を表示する表示部を有する本体と、本体の表示部を覆う蓋と、表示部を使用する際に蓋を回転して移動するための連結手段と、を備え、この連結手段は、本体側の端面に配置された第１支点を中心として回転可能な断面円形状の回転部を有し、この回転部の周囲面には突出部が設けられ、突出部に位置する第２支点に対して、蓋の端部が回転可能に連結されていると共に、蓋は、本体の表示部を覆う閉じた状態から、連結手段を介して回転して移動して、表示部とは反対に位置する本体の裏面に位置される携帯情報装置により、達成される。
【０００６】
本発明においては、本体は情報を表示する表示部を有する。蓋は本体の表示部を覆うことができる。連結手段は、表示部を使用する際に蓋を回転して移動する。この連結手段により蓋を回転して移動する場合に、第１支点を中心として回転部を回転させるようにして蓋の開閉を行うことができる。このことから、蓋は、断面円形状の回転部を用いて、本体に対して回転動作の際に凹凸現象を起こすことなくスムーズに開閉操作することができる。
【０００７】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【０００８】
図１は、本発明の携帯情報装置を示しており、携帯情報装置１０は、本体１２と蓋１４及び連結手段１６を有している。
図１の携帯情報装置１０は、蓋１４が本体１２の上面にある表示部１８を閉じた状態を示している。これに対して、図２においては携帯情報装置１０の蓋１４が表示部１８を開けて、本体１２の裏面２０側に収納された状態を示している。
【０００９】
図３は図１の携帯情報装置１０のＴ方向からみた図である。
携帯情報装置１０の本体１２は、表示部１８を上面２４側に備えており、本体１２の端面（後端面）２２側には連結手段１６が設けられている。本体１２の表示部１８は、フラット型のディスプレイ装置、例えばカラー液晶表示装置あるいは白黒の液晶表示装置が用いられており、この表示部１８は図２のように各種のアイコンやその他の種類の表示機能を選択的に表示することができる。
【００１０】
例えばこの本体１２は、簡易型携帯電話の機能を有し、使用者がペンにより文字等を入力できる携帯情報端末として機能する。しかも、この本体１２は、電話機能に加えて電子メールやパーソナルコンピュータによる通信や個人情報の管理等の機能をも合わせ持つようなものである。例えば、使用者が表示部１８で手書きのメモを作成して、そのメモ書きの内容を電子メールにして送信したり、住所録の内容に基づいて、簡単に電話発信すること等ができる。
その他本体１２は、計算機能や時計機能、カレンダー機能、辞書機能等をも有している。
【００１１】
図３の蓋１４は、本体１２の上面２４の全体を覆うことができる薄い板状のものであり、蓋１４は携帯情報装置１０を使用者が携帯する時に表示部１８を損傷させたりしないように保護するものである。蓋１４の端部２６と、本体１２の端面２２に関連して、連結手段１６が設けられている。この連結手段１６は、図４に示すように、蓋１４で表示部１８を覆って閉じた状態から、図５に示すように蓋１４を本体１２の裏面２０側に収納するための手段である。
この連結手段１６は、図示の実施の形態では好ましくはヒンジ型のものであり、図３〜図５に示すように回転部３０、突出部３２、第１支点軸３４、第２支点軸３６を有している。
【００１２】
回転部３０は、図４と図５に示すように断面でみて円形状であり、更に好ましくはほぼ円筒状の部材である。この回転部３０の中心には第１支点軸３４が通っている。回転部３０は第１支点軸３４を用いて、図３に示すように本体１２の端面２２に対して回転可能に設定されている。
【００１３】
蓋１４の端部２６は、第２支点軸３６を用いて、突出部３２に対して回転可能に連結されている。この突出部３２は、回転部３０の半径方向に沿って回転部３０の周囲面４０より突出して形成されている。
蓋１４、連結手段１６の回転部３０及び突出部３２は、例えばプラスチック、好ましくはエンジニアリングプラスティックのような耐衝撃性素材または金属により作られている。また第１支点軸３４及び第２支点軸３６は、金属またはプラスチックにより作ることができる。
【００１４】
図３の本体１２の端面２２の凹部５０には、上述した回転部３０が第１支点軸３４を用いてはめ込まれた状態で回転可能に支持されているが、図４と図５に示すようにこの凹部５０は、回転部３０の周囲面４０に対応して、断面でみて円弧状の凹面となっている。
【００１５】
次に、上述した携帯情報装置１０の使用例について説明する。
図１、図３及び図４に示すように、蓋１４が本体１２の表示部１８を覆った状態、すなわち蓋１４が表示部１８を閉じた状態にして、使用者は携帯情報装置１０を携帯する。使用者が携帯情報装置１０の表示部１８を使用する場合には、使用者が蓋１４の前端部５６を指で持って、図４のＲ方向に持ち上げる。これにより、蓋１４は第１支点軸３４と第２支点軸３６を中心として、図５に示すように表示部１８とは反対側の裏面２０側に収納できる。そして、使用者は例えば図５に示すように入力用のペンＰを用いて、表示部１８に対しての必要なアイコンに対して直接触れて指示するような操作を行う。
図５に示すように蓋１４が裏面２０側に収納された状態では、蓋１４は本体１２の裏面２０に対して平行に所定の間隔を開けるかあるいは密着して収納することができるので、携帯情報装置を例えば机Ｄの上に置いた状態で表示部１８の操作等を行うことが容易にできる。
【００１６】
次に、使用者による携帯情報装置１０の使用が終了すると、使用者は本体１２と蓋１４を持った状態で、蓋１４を図５のＲ１方向に沿って、第１支点軸３４と第２支点軸３６を中心として回転させる。これにより、図４のように再び蓋１４は所定の間隔をおいてあるいは密着するような状態で表示部１８を覆うことができる。
【００１７】
このように使用者が蓋１４を開閉する際には、蓋１４は回転部３０の中心にある第１支点軸３４と突出部３２の先端にある第２支点軸３６を中心としてＲ、あるいはＲ１方向に回転していく。この時に、第１支点軸３４と同心軸状になっている回転部３０は、蓋１４のＲ方向あるいはＲ１方向の回転を凹凸のない一体感のある開閉動作が行える。この理由としては、従来のような断面でみて長細いヒンジ部を用いるのに比べて、本発明の回転部３０を有する連結手段１６を用いるということである。
【００１８】
ところで本発明は上記実施の形態に限定されない。
上述した実施の形態では、携帯情報装置として電子手帳のような例を採用しているが、これに限らず他の種類の携帯情報装置、例えば表示部１８がビデオカメラの画像を表示可能であったり、ビデオカメラで得られた音声を発生するような機能、あるいはインターネットにアクセスしたりパーソナルコンピュータにアクセスでき、ファクシミリの送受信等も行える機能等を備えるようにしてもよい。
【００１９】
図示の実施の形態では蓋１４は本体１２に対して連結手段１６，１６で連結されているが、これに限らず３つ以上の連結手段や１つの連結手段により蓋１４の連結を行うことも勿論可能である。
図示の携帯情報装置１０の本体１２は、図３のＸ方向に長い横長型のものを示しているが、これに限らずＹ方向に長い縦長型の携帯情報装置にすることも可能である。
【００２０】
【発明の効果】
以上説明したように、本発明によれば、本体の表示部を覆う蓋の開閉操作の際に蓋は本体に対して凹凸の少ない一体感のある開閉操作を行うことができる。
【図面の簡単な説明】
【図１】本発明の携帯情報装置の好ましい実施の形態を斜め前側から示す斜視図。
【図２】図１の携帯情報装置の表示部の蓋を開いた状態を示す図。
【図３】図１の携帯情報装置のＴ方向からみた斜視図。
【図４】図１と図３に対応して示す蓋が表示部を覆っている状態を示す図。
【図５】蓋を開けて表示部を使用する状態を示す図。
【図６】従来の電子手帳において表示部を蓋で閉じた状態を示す図。
【図７】図６の従来の電子手帳において蓋を開けて表示部を使用する状態を示す図。
【符号の説明】
１０・・・携帯情報装置、１２・・・本体、１４・・・蓋、１６・・・連結手段、１８・・・表示部、２０・・・裏面、２６・・・蓋の端部、３０・・・回転部、３２・・・突出部、３４・・・第１支点軸（第１支点）、３６・・・第２支点軸（第２支点）、５０・・・本体の凹部
【図１】
0003852150.tif 000002
【図２】
0003852150.tif 000003
【図３】
0003852150.tif 000004
【図４】
0003852150.tif 000005
【図５】
0003852150.tif 000006
【図６】
0003852150.tif 000007
【図７】
0003852150.tif 000008